(57)【要約】      （修正有）【課題】  目地部が狭くなるように左右の躯体が揺れ動いても、伸縮移動して、その揺れ動きを吸収するとともに、雨水の処理も十分に行なうことができる目地装置を得るにある。【解決手段】  通常時には傾斜状態で他方の高い方の躯体の目地部側壁面に当接する少なくとも２個以上の支持アーム５と、この支持アームの先端部にそれぞれ上方へ突出するように取付けられた少なくとも２個以上の支持体６と、この少なくとも２個以上の支持体の上部をスライド移動可能に取付けられたスライド支持体７と、このスライド支持体の上部に目地部の中央部寄りに位置する先端部が上下方向に回動可能に後端部が枢支された一方の目地プレートと、この一方の目地プレート９の先端部寄りの部位の底面に後端部が枢支され先端部が一方の躯体の目地部側の壁面の上部に枢支された目地部が狭くなると後端部が上方へ突出させることができる他方の目地プレート１２とで目地装置を構成している。【選択図】  図１０
2006207338.tif 000002
【特許請求の範囲】
【請求項１】
目地部を介して設けられた高さの異なる左右の躯体の、低い方の一方の躯体の目地部側の上部壁面に後端部がヒンジ部材を介して枢支され、先端部が水平方向に回動可能で、通常時には傾斜状態で他方の高い方の躯体の目地部側壁面近傍に位置あるいは当接する少なくとも２個以上の支持アームと、この少なくとも２個以上の支持アームの先端部にそれぞれ上方へ突出し、前記他方の躯体の目地部側壁面に当接するには近傍に位置するように取付けられた少なくとも２個以上の支持体と、この少なくとも２個以上の支持体の上部をスライド移動可能に取付けられたスライド支持体と、このスライド支持体の上部に前記目地部の中央部寄りに位置する先端部が上下方向に回動可能に後端部が枢支された一方の目地プレートと、この一方の目地プレートの先端部寄りの部位の底面に後端部が枢支され、先端部が前記一方の躯体の目地部側の壁面の上部に枢支された、前記目地部が狭くなると後端部が上方へ突出させることができる他方の目地プレートとからなることを特徴とする目地装置。
【請求項２】
目地部を介して設けられた高さの異なる左右の躯体の、低い方の一方の躯体の目地部側の上部壁面に後端部がヒンジ部材を介して枢支され、先端部が水平方向に回動可能で、通常時には傾斜状態で他方の高い方の躯体の目地部側壁面近傍に位置あるいは当接する少なくとも２個以上の支持アームと、この少なくとも２個以上の支持アームの先端部にそれぞれ上方へ突出し、前記他方の躯体の目地部側壁面に当接するには近傍に位置するように取付けられた少なくとも２個以上の支持体と、この少なくとも２個以上の支持体の上部をスライド移動可能に取付けられたスライド支持体と、このスライド支持体の上部に前記目地部の中央部寄りに位置する先端部が上下方向に回動可能に後端部が枢支された一方の目地プレートと、この一方の目地プレートの先端部寄りの部位の底面に後端部が枢支され、先端部が前記一方の躯体の目地部側の壁面の上部に枢支された、前記目地部が狭くなると後端部が上方へ突出させることができる他方の目地プレートと、前記少なくとも２個以上の支持アームの先端部、あるいは少なくとも２個以上の支持体に取付けられた、前記他方の躯体の目地部側壁面に当接するローラと、前記スライド支持体の上部よりも上部位置で、かつ下部が前記スライド支持体あるいは前記一方の目地プレートの後端部よりも上方に位置する防水カバーと、この防水カバーの下部に取付けられたゴム、合成樹脂材等の軟質防水シートと、前記少なくとも２個以上の支持アームに取付けられた、前記一方の目地プレートと他方の目地プレートを支持する支持片とからなることを特徴とする目地装置。
【発明の詳細な説明】
【技術分野】
【０００１】
本発明は目地部を介して設けられた高さの異なる左右の躯体の目地部側の壁面と上部壁面との間を覆う目地装置に関する。
【背景技術】
【０００２】
従来、高さの異なる左右の躯体の目地装置は庇あるいは左右の目地部側躯体の壁面に伸縮可能に設置するものである。
【０００３】
このため、庇は目地部が狭くなるように左右の躯体が地震等で揺れ動いた場合には、低い方の建物へ庇の先端部が進入してしまうという欠点があった。
また、左右の目地部側躯体の壁面に設置するものは伸縮構造であるため、雨水等の処理が十分にできないという欠点があった。
【特許文献１】特になし
【発明の開示】
【発明が解決しようとする課題】
【０００４】
本発明は以上のような従来の欠点に鑑み、目地部が狭くなるように左右の躯体が揺れ動いても、左右の躯体へ入り込んだりすることなく伸縮移動して、その揺れ動きを吸収するとともに、雨水の処理も十分に行なうことができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた高さの異なる左右の躯体の、低い方の一方の躯体の目地部側の上部壁面に後端部がヒンジ部材を介して枢支され、先端部が水平方向に回動可能で、通常時には傾斜状態で他方の高い方の躯体の目地部側壁面近傍に位置あるいは当接する少なくとも２個以上の支持アームと、この少なくとも２個以上の支持アームの先端部にそれぞれ上方へ突出し、前記他方の躯体の目地部側壁面に当接するには近傍に位置するように取付けられた少なくとも２個以上の支持体と、この少なくとも２個以上の支持体の上部をスライド移動可能に取付けられたスライド支持体と、このスライド支持体の上部に前記目地部の中央部寄りに位置する先端部が上下方向に回動可能に後端部が枢支された一方の目地プレートと、この一方の目地プレートの先端部寄りの部位の底面に後端部が枢支され、先端部が前記一方の躯体の目地部側の壁面の上部に枢支された、前記目地部が狭くなると後端部が上方へ突出させることができる他方の目地プレートとで目地装置を構成している。
【発明の効果】
【０００７】
以上の説明から明らかなように、本発明にあっては次に列挙する効果が得られる。
【０００８】
（１）地震等で目地部が狭くなるように左右の躯体が揺れ動いた場合、少なくとも２個以上の支持アームが回動するとともに、スライド支持体がスライド移動し、一方の目地プレートと他方の目地プレートとの重なり合いが大きくなるようにスライド移動して、その揺れ動きを吸収することができる。
したがって、左右の躯体内へ突出することなく、安全に使用することができる。
【０００９】
（２）前記（１）によって、一方の目地プレートと他方の目地プレートは傾斜状態で配置されるので、雨水等を低い方へ流して、雨水が目地部へ浸入するのを効率よく阻止することができる。
【００１０】
（３）前記（１）によって、目地部が広くなるように左右の躯体が揺れ動いた場合には、他方の躯体の目地部側壁面より離れるように移動するため、その揺れ動きを確実に吸収することができる。
【００１１】
（４）請求項２も前記（１）〜（３）と同様な効果が得られるとともに、防水カバーと軟質防水シートで、より確実に目地部内への雨水の浸入を阻止することができる。
また、一方の目地プレートと他方の目地プレートを支持する支持片によって、両方の目地プレートを支持することができ、上からの荷重が加わっても変形するのを効率よく防止することができる。
【発明を実施するための最良の形態】
【００１２】
以下、図面に示す本発明を実施するための最良の形態により、本発明を詳細に説明する。
【００１３】
図１ないし図１１に示す本発明を実施するための最良の第１の形態において、１は目地部２を介して設けられた高さの異なる左右の躯体３、３Ａの低い方の一方の躯体３の目地部側の上部壁面３ａおよび、高い方の他方の躯体３Ａの目地部側の壁面３ｂとの間を覆う本発明の目地装置で、この目地装置１は前記一方の躯体３の目地部側の上部壁面３ａに後端部がヒンジ部材４を介して枢支され、先端部が水平方向に回動可能で、通常時にはほぼ４５度の傾斜状態で他方の躯体３Ａの目地部側壁面３ｂに当接する少なくとも２個以上の支持アーム５、５と、この少なくとも２個以上の支持アーム５、５の先端部にそれぞれ上方へ突出し、前記他方の躯体３Ａの目地部側壁面３ｂ近傍に位置するように取付けられた少なくと２個以上の支持体６、６と、この少なくとも２個以上の支持体６、６の上部をスライド移動可能に取付けられたスライド支持体７と、このスライド支持体７の上部に前記目地部の中央部寄りの位置に先端部が上下方向に回動可能に、後端部がヒンジ部材８で枢支された一方の目地プレート９と、この一方の目地プレート９の先端部寄りの部位の底面に後端部がヒンジ部材１０で枢支され、先端部が前記一方の躯体３の目地部側の壁面３ａの上部にヒンジ部材１１で枢支された、前記目地部２が狭くなると後端部が上方へ突出させることができる他方の目地プレート１２と、前記少なくとも２個以上の支持アーム５、５に上方へ突出するように必要に応じて取付けられた、前記一方の目地プレート９と前記他方の目地プレート１２を、通常時には一直線状の傾斜面となるように支持する支持片１３、１４と、前記スライド支持体７の上部よりも上部位置で、かつ下部が前記スライド支持体７あるいは前記一方の目地プレート９の後端部よりも上方に位置する断面クランク状の防水カバー１５と、この防水カバー１５の下部に、前記一方の目地プレート９の後端部の出入が可能に取付けられたゴム、合成樹脂材等の軟質防水シート１６とで構成されている。
【００１４】
前記少なくとも２個以上の支持アーム５、５は、図４に示すように上部が水平面で、下部が先端部より後端部が順次大きくなる、ほぼ三角形状の支持アーム本体１７と、この支持アーム本体１７の先端部に取付けられた、前記他方の躯体３Ａの目地部側壁面３ｂと当接するローラ１８と、前記支持アーム本体１７の後端部に取付けられた、前記一方の躯体９の目地部側の上部壁面３ａに取付けるヒンジ部材４とで構成されている。
【００１５】
前記少なくとも２個以上の支持体６、６は図５に示すように、前記支持アーム５、５の先端部あるいは先端部寄りの部位に溶接等によって固定された、上方へ突出する棒状の支持体本体１９、１９と、この支持体本体１９、１９の上部に取付けられたガイドローラ２０、２０とで構成されている。
【００１６】
前記スライド支持体７は図６に示すように、前記少なくとも２個以上の支持体６、６に支持されてスライド移動できるチャンネル状のガイドレール２１と、このガイドレール２１の反他方の躯体３Ａ側の上部より上方へ突出するように一体形成された目地プレート取付片２２とで構成されている。
【００１７】
前記一方の目地プレート９は図７に示すように、一方の目地プレート本体２３と、この一方の目地プレート本体２３の後端部に上方へ突出し、前記スライド支持体７の目地プレート取付片２２と当接して、複数本のビス２４で固定される取付片２５と、前記一方の目地プレート本体２３の先端部に下方へ突出させた水切り編２６とで構成されている。
【００１８】
前記他方の目地プレート１２は図８に示すように、他方の目地プレート本体２７と、この他方の目地プレート本体２７の後端部に上方へ突出して、前記ヒンジ部材１０が取付けられる取付片２８と、前記他方の目地プレート本体２７の先端部に下方へ突出させた水切り兼前記ヒンジ部材１１を取付けるための取付片２９とで構成されている。
【００１９】
上記構成の目地装置１は、通常時には図１ないし図３に示すように、一方の目地プレート９と他方の目地プレート１２とがほぼ一直線状の傾斜状態となり、雨水は防水カバー１５、軟質防水シート１６、一方の目地プレート９、他方の目地プレート１２を流れて一方の躯体３の目地部側上部壁面３ａの内側へ排水することができ、目地部２内へ浸入するのを阻止することができる。
【００２０】
地震等によって左右の躯体３、３Ａが揺れ動き、目地部２が狭くなると図９および図１０に示すように、少なくとも２個以上の支持アーム５、５の先端部が他方の躯体３Ａの目地部側壁面３ｂによって押し付けられ回動するとともに、支持アーム５、５の先端部に取付けられている支持体６、６に支持されているスライド支持体７はスライド移動しながら他方の目地プレート１２を押し圧するため、一方の目地プレート９と他方の目地プレート１２を取付けているヒンジ部材１０部分が上方へ突出して、山形状となってその揺れ動きを吸収する。
揺れ動きが停止すると、自重等により自動的に元の状態へ戻る。
【００２１】
地震等によって左右の躯体３、３Ａが揺れ動き、目地部２が広くなると、図１１に示すように少なくとも２個以上の支持アーム５、５、支持体６、６、スライド支持体７、一方の目地プレート９および他方の目地目地プレート１２が一方の躯体３と一緒に移動し、他方の躯体３Ａの目地部側壁面３ｂより離れて、その揺れ動きを吸収する。
揺れ動きが停止すると、自動的に元の状態へ戻る。
[発明を実施するための異なる形態]
【００２２】
次に、図１２ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１２ないし図１４に示す本発明を実施するための第２の形態において、前記本発明を実施するための最良の第１に形態と主に異なる点は、少なくとも２個以上の支持アーム５Ａ、５Ａの先端部を他方の躯体３Ａ近傍に位置させ、少なくとも２個以上の支持体６、６の上下部に他方の躯体３Ａの目地部側壁面３ｂに当接するローラ３０、３０、３０、３０を設けるとともに、該支持体６、６の上部寄りの部位にスライド支持体７の下部係止片３１、３１と係合する係合溝３２、３２を形成して、スライド支持体７Ａが上方へ外れるのを防止できるようにした点で、このように構成した目地装置１Ａにしても、前記本発明を実施するための最良の第１の形態と同様な作用効果が得られる。
【００２４】
図１５ないし図１７に示す本発明を実施するための第３の形態において、前記本発明を実施するための最良の第１の形態と主に異なる点は、一方の躯体３の目地部側壁面３ａの上部にほぼクランク状の他方の目地プレート支持片３３を複数本のボルト３４等で固定するとともに、該他方の目地プレート支持片３３に他方の目地プレート１２の先端部に取付けられるヒンジ部材１１を取付けた点で、このように構成した目地装置１Ｂにしても、前記本発明を実施するための最良の第１の形態と同様な作用効果が得られる。
【００２５】
図１８ないし図２０に示す本発明を実施するための第４の形態において、前記本発明を実施するための最良の第１の形態と主に異なる点は、地震等によって左右の躯体３、３Ａが揺れ動き、目地部２が狭くなり一方の目地プレート９の先端部が上方に突出する場合に、該一方の目地プレート９の取付片２５が防水カバー１５の内側に位置するようにスライド支持体７の目地プレート取付片２２に取付けれるように構成した点で、このように構成した目地装置１Cにしても、前記本発明を実施するための最良の第１の形態と同様な作用効果が得られる。
【産業上の利用可能性】
【００２６】
本発明は目地装置を製造する産業で利用される。
【図面の簡単な説明】
【００２７】
【図１】本発明を実施するための最良の第１の形態の平面図。
【図２】図１の２−２線に沿う断面図。
【図３】本発明を実施するための最良の第１の形態の底面図。
【図４】本発明を実施するための最良の第１の形態の支持アームの説明図。
【図５】本発明を実施するための最良の第１の形態の支持体の説明図。
【図６】本発明を実施するための最良の第１の形態のスライド支持体の説明図。
【図７】本発明を実施するための最良の第１の形態の一方の目地プレートの説明図。
【図８】本発明を実施するための最良の第１の形態の他方の目地プレートの説明図。
【図９】本発明を実施するための最良の第１の形態の目地部が狭くなった動作説明用平面図。
【図１０】図９の１０−１０線に沿う断面図。
【図１１】本発明を実施するための最良の第１の形態の目地部が広くなった動作説明図。
【図１２】本発明を実施するための第２の形態の平面図。
【図１３】図１２の１３−１３線に沿う断面図。
【図１４】本発明を実施するための第２の形態の支持体とスライド支持体の関係を示す説明図。
【図１５】本発明を実施するための第３の形態の平面図。
【図１６】図１５の１６−１６線に沿う断面図。
【図１７】本発明を実施するための第３の形態の他方の目地プレート支持片の説明図。
【図１８】本発明を実施するための第４の形態の平面図。
【図１９】図１８の１９−１９線に沿う断面図。
【図２０】本発明を実施するための第４の形態の目地部が狭くなった動作説明図。
【符号の説明】
【００２８】
１、１Ａ、１Ｂ、１C：目地装置、２：目地部、
３、３Ａ：躯体、                            ４：ヒンジ部材、
５：支持アーム、                            ６：支持体、
７、７Ａ：スライド支持体、        ８：ヒンジ部材、
９：一方の目地プレート、                        １０：ヒンジ部材、
１１：ヒンジ部材、                                    １２：他方の目地プレート、
１３、１４：支持片、                    １５：防水カバー、
１６：軟質防水シート、                １７：支持アーム本体、
１８：ローラ、                                １９：支持体本体、
２０：ガイドローラ、                    ２１：ガイドレール、
２２：目地プレート取付片、        ２３：一方の目地プレート本体、
２４：ビス、                                                ２５：取付片、
２６：水切り片、                            ２７：他方の目地プレート本体、
２８：取付片、                                ２９：取付片、
３０：ローラ、                                ３１：下部係止片、
３２：係合溝、                                ３３：他方の目地プレート支持片、
３４：ボルト。
【図１】
2006207338.tif 000003
【図２】
2006207338.tif 000004
【図３】
2006207338.tif 000005
【図４】
2006207338.tif 000006
【図５】
2006207338.tif 000007
【図６】
2006207338.tif 000008
【図７】
2006207338.tif 000009
【図８】
2006207338.tif 000010
【図９】
2006207338.tif 000011
【図１０】
2006207338.tif 000012
【図１１】
2006207338.tif 000013
【図１２】
2006207338.tif 000014
【図１３】
2006207338.tif 000015
【図１４】
2006207338.tif 000016
【図１５】
2006207338.tif 000017
【図１６】
2006207338.tif 000018
【図１７】
2006207338.tif 000019
【図１８】
2006207338.tif 000020
【図１９】
2006207338.tif 000021
【図２０】
2006207338.tif 000022